(57)【要約】【課題】  着用して快適でリムの変形を防止した一体式水泳用ゴーグルの提供。【解決手段】  ヘッドバンド連接シートとレンズを具え硬材質で形成された左リムと右リム、ブリッジ及び保護パッドを具えて該左リムと右リムに一体に接続された軟材質の連接フレームを具え、特に、左右のリムにあって連接フレームのブリッジに対応するように支持体が設けられ、該支持体が外向きに傾斜するように左右のリムより一体に延伸され、且つ該連接フレームが充填及び被覆方式で、少なくとも該支持体或いはその付近、及び該左リムと右リムの框体内側或いは外側を接続し、これにより水泳用ゴーグルのヘッドバンドが硬材質のリムの両側に固定され、軟材質の保護パッドが顔部と接触し、またブリッジが良好な支持性を具え、こうして水泳用ゴーグルの着用を快適としリムの変形を防止した。【選択図】        図２
0003105115.tif 000002
【実用新案登録請求の範囲】
【請求項１】
一体式水泳用ゴーグルにおいて、左リムと右リム、ヘッドバンド、連接フレームを具え、
該左リムと右リムは硬材質とされ、各リムが内表面、外表面及び内表面と外表面の間に位置する周面を具え、周面の外側にヘッドバンド連接シートが設けられ、該ヘッドバンド連接シートと反対の一側の周面に外向きに傾斜する支持体が設けられ、該支持体と反対の左リムと右リムの内表面に充填エリアが設けられ、
該ヘッドバンドは左リムと右リムのヘッドバンド連接シートに組付けられ、
該連接フレームは、左リム、右リムを一体に接続し、軟材質とされ、ブリッジとブリッジ両端に接続された左保護パッドと右保護パッドを具え、該ブリッジの両端の接続部分に組付け溝が設けられて左リム、右リムの支持体を収容し、左保護パッド、右保護パッドに左リム、右リムの充填エリアに対応して結合部が設けられ、該結合部により充填エリアが充満されることを特徴とする、一体式水泳用ゴーグル。
【請求項２】
請求項１記載の水泳用ゴーグルにおいて、支持体付近の左リムと右リムの周面に開口が形成され、連接フレームの該支持体を収容する面積が増されたことを特徴とする、一体式水泳用ゴーグル。
【請求項３】
請求項２記載の水泳用ゴーグルにおいて、左リムと右リムの開口と充填エリアの間の周面の上端と下端の内側に凹凸面が設けられて連接フレームの被覆保持機能が強化されたことを特徴とする、一体式水泳用ゴーグル。
【請求項４】
請求項３記載の水泳用ゴーグルにおいて、連接フレームの組付け溝と結合部の間の上縁と下縁に連接部が設けられ、該連接部が連接フレーム成形時に凹凸面を保持することを特徴とする、一体式水泳用ゴーグル。
【請求項５】
請求項４記載の水泳用ゴーグルにおいて、支持体が左リムと右リムの内表面より一体に延伸され、且つ支持体に貫通孔が設けられたことを特徴とする、一体式水泳用ゴーグル。
【請求項６】
請求項５記載の水泳用ゴーグルにおいて、充填エリアが左リムと右リムにより形成された高さの落差のある内表面と外表面、及び内表面と外表面の間の凹溝で構成されたことを特徴とする、一体式水泳用ゴーグル。
【請求項７】
請求項６記載の水泳用ゴーグルにおいて、ヘッドバンド連接シートが左リムと右リムの周面に設けられた連接孔とされたことを特徴とする、一体式水泳用ゴーグル。
【請求項８】
請求項７記載の水泳用ゴーグルにおいて、レンズが左リムと右リムの外表面に一体成形されることを特徴とする、一体式水泳用ゴーグル。
【請求項９】
請求項８記載の水泳用ゴーグルにおいて、連接フレームの結合部に左リムと右リムの連接孔に対応する穿孔が設けられたことを特徴とする、一体式水泳用ゴーグル。
【考案の詳細な説明】
【技術分野】
【０００１】
本考案は一体式水泳用ゴーグルに係り、特にブリッジと保護パッドが軟材質で一体成形され、且つ硬材質のリムと一体式に被覆接続され、またブリッジが良好な支持を提供し、着用時の顔面との接触を快適とし、ヘッドバンドの引っ張りによる変形の影響を受けない、一体式水泳用ゴーグルに関する。
【背景技術】
【０００２】
周知のリム、ブリッジ及び保護パッドが一体式とされた水泳用ゴーグルには例えば出願人による図１に示される特許文献１に記載のものがあり、それは、設計上、顔面に当接する一側の保護パッドが軟材質で形成される必要があり、これにより着用を快適とし、リムはヘッドバンドによる着用時の引っ張り力に抵抗でき、リムの変形を防止できるようにする必要がある。このため、特許文献１中の構造は軟材質を一体成形してなる水泳用ゴーグル７０において、二つのリム７１、７２、ブリッジ７３及び保護パッド７４がいずれも軟材質で形成され、二つのリム７１、７２の着用時の変形を防止するため、ブリッジ７３が特殊設計とされて、断面がアーチ形とされ、アーチ形の中間が厚く、両側が薄く形成され、また、二つのリム７１、７２の外側に止動部７５が設けられ、ヘッドバンド７６に設けられた押し板７７が該止動部７５に係止され、これによりヘッドバンド７６の着用時の引っ張り力が、該止動部７５とブリッジ７３の中央の厚い部分に分散され、二つのリム７１、７２の変形を防止する。
【０００３】
さらに、このような一体式水泳用ゴーグルのブリッジは軟材質が二つのリムの内側に固定され、支持効果は比較的低く、且つ幅が一定の範囲にあるため、着用時に鼻梁の比較的大きい使用者に対して、鼻梁を跨ぐブリッジが鼻梁を圧迫し、快適でない感覚を与える。
【０００４】
ゆえに、このような一体式水泳用ゴーグルに対して着用時の顔面に当接する一側の快適性と、着用時のヘッドバンドの引っ張りによるリムの変形について更に考慮する必要がある。
【０００５】
【特許文献１】台湾実用新案登録８３２００４０５号明細書
【考案の開示】
【考案が解決しようとする課題】
【０００６】
本考案は一種の一体式水泳用ゴーグルを提供することを目的とし、それは、着用して快適で且つリムが変形せず、水泳用ゴーグルの保護パッドとブリッジは軟材質で形成され、硬材質のリムの内側を一体式に被覆し、これにより、水泳用ゴーグルのヘッドバンドが硬材質のリムの両側に固定され、軟材質の保護パッドが顔面と接触し、また、ブリッジが良好な支持性を提供し、これにより水泳用ゴーグル着用時に快適で、リムの変形の恐れがないものとされる。
【０００７】
また、本考案は一種の一体式水泳用ゴーグルを提供することを目的とし、それは、硬質のリムとレンズの一体設置により、体積がコンパクトで水の抵抗が低く且つ視野が広い着用効果を提供するものとされる。
【０００８】
上記目的を達成するため、本考案の水泳用ゴーグルは、ヘッドバンド連接シートを具えた硬材質の左リムと右リム、及び、ブリッジと保護パッドを具えて左リムと右リムを接続する軟材質の連接フレームを具えた水泳用ゴーグルにおいて、左リムと右リムに、該連接フレームのブリッジに対応する支持体が設けられ、該支持体が外向きに傾斜するように左リムと右リムより一体に延伸されている。
【０００９】
また、本考案の一体式水泳用ゴーグルのもう一つの特徴は、該連接フレームが充填及び被覆の方式で、少なくとも該支持体或いはその付近、及び、該左リムと右リムの框体内側或いは外側を連接することにある。
【００１０】
以上の特徴において、連接フレームと左リム、右リムの被覆接続方式は、支持体付近の左リムと右リムにそれぞれ開口が形成され、且つ該支持体の対応する一側内側に充填エリアが設けられ、該開口と充填エリアが該連接フレームに対して被覆と保持の接続効果を提供する。
【課題を解決するための手段】
【００１１】
請求項１の考案は、一体式水泳用ゴーグルにおいて、左リムと右リム、ヘッドバンド、連接フレームを具え、
該左リムと右リムは硬材質とされ、各リムが内表面、外表面及び内表面と外表面の間に位置する周面を具え、周面の外側にヘッドバンド連接シートが設けられ、該ヘッドバンド連接シートと反対の一側の周面に外向きに傾斜する支持体が設けられ、該支持体と反対の左リムと右リムの内表面に充填エリアが設けられ、
該ヘッドバンドは左リムと右リムのヘッドバンド連接シートに組付けられ、
該連接フレームは、左リム、右リムを一体に接続し、軟材質とされ、ブリッジとブリッジ両端に接続された左保護パッドと右保護パッドを具え、該ブリッジの両端の接続部分に組付け溝が設けられて左リム、右リムの支持体を収容し、左保護パッド、右保護パッドに左リム、右リムの充填エリアに対応して結合部が設けられ、該結合部により充填エリアが充満されることを特徴とする、一体式水泳用ゴーグルとしている。
請求項２の考案は、請求項１記載の水泳用ゴーグルにおいて、支持体付近の左リムと右リムの周面に開口が形成され、連接フレームの該支持体を収容する面積が増されたことを特徴とする、一体式水泳用ゴーグルとしている。
請求項３の考案は、請求項２記載の水泳用ゴーグルにおいて、左リムと右リムの開口と充填エリアの間の周面の上端と下端の内側に凹凸面が設けられて連接フレームの被覆保持機能が強化されたことを特徴とする、一体式水泳用ゴーグルとしている。
請求項４の考案は、請求項３記載の水泳用ゴーグルにおいて、連接フレームの組付け溝と結合部の間の上縁と下縁に連接部が設けられ、該連接部が連接フレーム成形時に凹凸面を保持することを特徴とする、一体式水泳用ゴーグルとしている。
請求項５の考案は、請求項４記載の水泳用ゴーグルにおいて、支持体が左リムと右リムの内表面より一体に延伸され、且つ支持体に貫通孔が設けられたことを特徴とする、一体式水泳用ゴーグルとしている。
請求項６の考案は、請求項５記載の水泳用ゴーグルにおいて、充填エリアが左リムと右リムにより形成された高さの落差のある内表面と外表面、及び内表面と外表面の間の凹溝で構成されたことを特徴とする、一体式水泳用ゴーグルとしている。
請求項７の考案は、請求項６記載の水泳用ゴーグルにおいて、ヘッドバンド連接シートが左リムと右リムの周面に設けられた連接孔とされたことを特徴とする、一体式水泳用ゴーグルとしている。
請求項８の考案は、請求項７記載の水泳用ゴーグルにおいて、レンズが左リムと右リムの外表面に一体成形されることを特徴とする、一体式水泳用ゴーグルとしている。
請求項９の考案は、請求項８記載の水泳用ゴーグルにおいて、連接フレームの結合部に左リムと右リムの連接孔に対応する穿孔が設けられたことを特徴とする、一体式水泳用ゴーグルとしている。
【考案の効果】
【００１２】
本考案の一体式水泳用ゴーグルは、ブリッジと保護パッドが軟材質で一体成形され、且つ硬材質のリムと一体式に被覆接続され、またブリッジが良好な支持を提供し、着用時の顔面との接触を快適とし、ヘッドバンドの引っ張りによる変形の影響を受けないものとされる。
【考案を実施するための最良の形態】
【００１３】
図２を参照されたい。本考案の一体式水泳用ゴーグル１は、左リム２と右リム３、連接フレーム４及びヘッドバンド（図示せず）を具えている。そのうち、左リム２と右リム３は硬材質とされ、各リムは内表面２０、３０、外表面２１、３１及び内表面２０、３０と外表面２１、３１の間に位置する周面２２、３２を具え、且つ外表面２１、３１の一側の最外端に一体にレンズ５が成形され、レンズ５と左リム２、右リム３の一体式構造により水中での抵抗力が減らされ、また、着用者の水中での視野を広げることができる。該周面２２、３２の外側にヘッドバンド連接シートが設けられ、本実施例ではそれは連接孔２３、３３（図５、６参照）とされてヘッドバンドを通すのに用いられる。該連接孔２３、３３と反対の一側の周面２２、３２に、支持体２４、３４が設けられ、それは左リム２、右リム３の内表面２０、３０より一体に延伸され、且つそれに貫通孔２４１、３４１が設けられて連接フレーム４の被覆と保持の効果を提供する。更に、図５、６を併せて参照されたい。支持体２４、３４と反対の左リム２、右リム３の内表面２０、３０には充填エリアが設けられ、該充填エリアは左リム２、右リム３が形成する高さの落差のある内表面２０、３０と外表面２１、３１及び内表面２０、３０と外表面２１、３１の間に位置する凹溝２５、３５で構成されている。該充填エリアは後述の連接フレーム４の結合部４１９を充填するのに供される。また、支持体２４、３４付近の左リム２、右リム３の周面２２、３２に開口２６、３６が形成されて該連接フレーム４の支持体２４、３４収容面積が増されている。さらに、図１、８に示されるように、左リム２、右リム３の上端と下端の内側に、凹凸面２７、３７が設けられ、該連接フレーム４の被覆保持効果が強化されている。
【００１４】
該連接フレーム４は、左リム２、右リム３を一体に連接するのいん用いられ、軟材質とされ、ブリッジ４０とブリッジ４０両端に接続された左保護パッド４１と右保護パッド４２を具えている。そのうち、ブリッジ４０は図５、６に示されるように、その両端の接続部分に組付け溝４０１、４０２が設けられ、一体成形時に支持体２４、３４を収容し並びに被覆する。左保護パッド４１、右保護パッド４２に左リム２、右リム３の充填エリアに対応する結合部４１０、４２０が設けられ、一体成形時に該充填エリアに充填され、それは左リム２、右リム３の連接孔２３、３３に対応する穿孔４１１、４２１を具え、ヘッドバンドを通すのに用いられる。また、図２、８に示されるように、該組付け溝４０１、４０２と結合部４１０、４２０の間の上端、下端に連接部４１２、４２２が設けられて、成形時に該凹凸面２７、３７をつかむのに用いられる。
【００１５】
図３、４を参照されたい。本考案の一体式水泳用ゴーグル１の連接部４１２、４２２の一体成形時には、左リム２、右リム３が接続され一体とされ、且つレンズ５と左リム２、右リム３の一体式設置により、明らかにコンパクトとされる。さらに図７の左リム２の断面図に示されるように、支持体２４はブリッジ４０の一体成形時に組付け溝４０１内に被覆、収容され、左リム２の内側が効果的に接続される。さらに図８に示されるように、左リム２の上端と下端内側の該凹凸面２７、３７が連接フレーム４の連接部４１２、４２２により被覆保持されるため、左リム２の上端、下端が有効に接続される。また、図６に示されるように、左保護パッド４１、右保護パッド４２の結合部４１０、４２０が充填エリアに収容され充填エリアに充満するため、左リム２の外側が効果的に接続される。ゆえに、本考案の一体式水泳用ゴーグルはブリッジと保護パッドの軟材質の一体成形時に硬材質のリムが一体式に被覆接続され、ヘッドバンドが硬材質の左リム２、右リム３の両側に固定され、軟材質の左保護パッド４１と右保護パッド４２が顔面と接触し、また支持体２４、３４が連接フレーム４のブリッジ４０に良好な支持性を提供し、こうして水泳用ゴーグルが着用して快適で且つリムの変形の恐れがないものとされる。
【００１６】
総合すると、本考案の一体式水泳用ゴーグルは確実に考案の目的を達成し、実用新案登録の要件を具備している。なお、以上の実施例は本考案の実施範囲を限定するものではなく、本考案に基づきなしうる細部の修飾或いは改変は、いずれも本考案の請求範囲に属するものとする。
【図面の簡単な説明】
【００１７】
【図１】特許文献１に記載の一体式水泳用ゴーグルの立体図である。
【図２】本考案の一体式水泳用ゴーグルの立体分解図である。
【図３】図２の立体組合せ図である。
【図４】図３の平面図である。
【図５】図４の５−５断面図である。
【図６】図４の６−６断面図である。
【図７】図４の７−７断面図である。
【図８】図４の８−８断面図である。
【符号の説明】
【００１８】
１  水泳用ゴーグル            ２  左リム
３  右リム                    ４  連接フレーム
５  レンズ                    ２０、３０  内表面
２１、３１  外表面            ２２、３２  周面
２３、３３  連接孔            ２４、３４  支持体
２５、３５  凹溝              ２６、３６  開口
２７、３７  凹凸面            ２４１、３４１  貫通孔
４０  ブリッジ                ４１  左保護パッド
４２  右保護パッド            ４０１、４０２  組付け溝
４１０、４２０  結合部        ４１１、４２１  穿孔
４１２、４２２  連接部
【図１】
0003105115.tif 000003
【図２】
0003105115.tif 000004
【図３】
0003105115.tif 000005
【図４】
0003105115.tif 000006
【図５】
0003105115.tif 000007
【図６】
0003105115.tif 000008
【図７】
0003105115.tif 000009
【図８】
0003105115.tif 000010